(57)【特許請求の範囲】
【請求項１】
通信リンクを介した移動パケットネットワークコールを確立し、前記通信リンクは移動端末装置及び所定の相互作用機能との間に拡張するものであり、前記移動端末装置を無線通信装置に第１のインタフェースで接続し、
さらに前記無線通信装置を前記所定の相互作用機能に第２のインタフェースで基地局に対して無線リンクを介して接続し、前記所定の相互作用機能は、第１の相互作用機能から第２の相互作用機能に変化するものであり、前記通信リンクはトラフィックチャネル、データリンク層リンク及びネットワーク層リンクからなり、前記通信リンクは、前記データリンク層リンク及び前記ネットワーク層リンクが維持されている間、前記トラフィックチャネルが確立されたパケットモードと前記トラフィックチャネルが不確立の休止モードからなり、
前記通信リンクが前記休止モードのときに、前記基地局から前記無線通信装置にネットワーク領域識別子情報を提供する方法であって、
前記無線通信装置は、ネットワーク領域識別子情報に対応する変化がある時を判定することにより、前記相互作用機能が第１の相互作用機能から第２の相互作用機能に変化した時を判定し、
前記無線通信装置は、前記ネットワーク領域識別子情報内の前記対応する変化が判定された時に、前記移動端末装置とリンク制御プロトコル交渉を開始し、
前記移動端末装置は、前記無線通信装置を介してリンク制御プロトコルパケットを前記第２の相互作用機能にフォワーディングすることにより前記リンク制御プロトコル交渉の開始に応答し、前記通信リンクに前記パケットモードに入らせ、前記移動端末装置と前記第１の相互作用機能との間の前記トラフィックチャネルを停止させ、前記移動端末装置は前記第２の相互作用機能とともにデータリンク層リンクを確立し、
前記データリンク層リンクが前記第２の相互作用機能とともに確立された後、
前記移動端末装置と前記第２の相互作用機能はネットワーク制御プロトコル選択を交渉し、前記移動端末装置と前記第２の相互作用機能との間のネットワーク層リンクを確立する
方法。
【請求項２】
前記第２の相互作用機能とともに前記データリンク層リンクが確立された後、前記移動端末装置は適時、前記第２の相互作用機能に従ってそのＩＰ移動登録を更新する請求項１に記載の方法。
【請求項３】
前記データリンク層リンク及び前記ネットワーク層リンクはそれぞれＰＰＰリンク及びＩＰリンクからなる請求項１に記載の方法。
【請求項４】
前記パケットモードはＩＳ−７０５．５に準じた接続状態からなり、前記休止モードはＩＳ−７０５．５に準じた休止／アイドル状態からなる請求項１に記載の方法。
【請求項５】
前記ネットワーク領域識別子情報は、前記通信リンクのページングチャネルで送信される情報からなる請求項１に記載の方法。
【請求項６】
前記ネットワーク領域識別子情報は、パケット区域ＩＤ及びＳＩＤ／ＮＩＤ対の一つである請求項５に記載の方法。
【請求項７】
前記移動端末装置を有するリンク制御プロトコル交渉の前記開始は、前記移動端末装置へのＬＣＰコンフィギュレーション要求パケットの送信からなり、前記移動端末装置は前記ＬＣＰコンフィギュレーション要求パケットを前記第２の相互作用機能から生じたものとして解釈する請求項１に記載の方法。
【請求項８】
前記移動端末装置は、前記第２の相互作用機能が新規の外部エージェントからなるか否かを判定し、前記第２の相互作用機能が新規の外部エージェントからなるとき、前記移動端末装置はＩＰ移動登録更新処理を実行する請求項７に記載の方法。
【請求項９】
移動パケットネットワークコールが確立された通信リンク内の無線通信装置であって、前記通信リンクは移動端末装置と所定の相互作用機能との間に拡張し、前記移動端末装置を前記無線通信装置に第１のインタフェースで接続し、さらに前記無線通信装置を前記所定の相互作用機能に第２のインタフェースで基地局に対する無線リンクを介して接続し、前記所定の相互作用機能は第１の相互作用機能から第２の相互作用機能に変化するものであり、前記通信リンクはトラフィックチャネル、オーバーヘッドチャネル、データリンク層リンク及びネットワーク層リンクからなり、前記通信リンクは、前記データリンク層リンク及び前記ネットワーク層リンクが維持される間、前記トラフィックチャネルが確立されたパケットモード及び前記トラフィックチャネルが不確立の休止モードからなり、前記無線通信装置は、
前記通信リンクが前記休止モードのときに、前記オーバーヘッドチャネルからネットワーク領域識別子情報を抽出する情報抽出機構と、
前記ネットワーク領域識別子情報に対応する変化がある時を判定することにより、前記第１の相互作用機能から前記第２の相互作用機能に前記所定の相互作用機能が変化した時を判定する判定機構と、
前記ネットワーク領域識別子情報に前記対応する変化が前記判定機構により判定されたときに、ＬＣＰコンフィギュレーション要求を前記移動端末装置にフォワーディングするＬＣＰコンフィギュレーション要求機構
からなる無線通信装置。
【請求項１０】
前記データリンク層リンク及び前記ネットワーク層リンクはそれぞれＰＰＰリンク及びＩＰリンクからなる請求項９に記載の無線通信装置。
【請求項１１】
前記オーバーヘッドチャネルはページングチャネルからなる請求項１０に記載の無線通信装置。
【請求項１２】
前記ネットワーク領域識別子情報はパケット区域ＩＤ及びＳＩＤ／ＮＩＤの一つからなる請求項１１に記載の無線通信装置。
【請求項１３】
移動端末装置と相互作用機能との間の通信リンクをサポートする無線通信装置であって、前記無線通信装置は、
オーバーヘッドチャネルから相互作用機能に関連するネットワーク領域識別子情報を抽出する情報抽出機構と、
前記ネットワーク領域識別子情報に対応する変化がある時を判定することにより、第１の相互作用機能から第２の相互作用機能に前記リンクの接続ポイントが変化する時を判定する判定機構と、
前記判定機構が、前記第１の相互作用機能が第２の相互作用機能に変化したと判定する時に、前記移動端末装置にリンク制御コンフィギュレーション要求をフォワーディングする要求機構
からなる無線通信装置。
【請求項１４】
前記オーバーヘッドチャネルは前記通信のページングチャネルからなる請求項１３に記載の無線通信装置。
【請求項１５】
前記ネットワーク領域識別子情報はパケット区域ＩＤ及びＳＩＤ／ＮＩＤ対の一つからなる請求項１４に記載の無線通信装置。
【発明の詳細な説明】
【０００１】
発明の背景
１．発明の分野
本発明は、無線リンクにより接続された相互作用機能が新規の相互作用機能に変化した時を移動端末装置に知らせることに関する方法及びシステムに関する。
【０００２】
２．背景情報の説明
移動コンピューティングは、一般的に無線通信装置（例えば移動電話）を介してコンピュータネットワーク（例えばインターネット）に接続されたノートブックコンピュータのような移動端末装置の利用を含む。インターネットへの現在の接続ポイント（すなわちその相互作用機能）が変化する一方で、“移動ＩＰ”は、インターネットに接続される移動端末装置がホームネットワークＩＰ（インターネットプロトコル）アドレス（静的ＩＰアドレス）でアドレスされるパケットを送受し得る無線通信における機能である。これにより、移動端末装置が他のエンティティとパケットのリンクを通してその接続を維持するのを可能にし、そのリンクでの相互通信を容易にする。
【０００３】
図１は、移動ＩＰサポートを含む移動コンピュータデータサービスに適用可能な単純化されたネットワーク参照モデルのブロック図である。このモデルは、通信サブシステム１０を形成するネットワークのエンティティの選択を示す。移動端末装置１２は、無線通信装置１４に接続され、同様に基地局／移動スイッチングセンター１６に無線インタフェースを介して接続される。基地局／移動スイッチングセンター１６は相互作用機能１８に接続される。単純化されたネットワーク参照モデルは、“広帯域拡散スペクトラムシステムのデータサービスの選択”ＴＩＡ／ＥＩＡ／ＩＳ−７０７、発行版（１９９８年２月）と題された文書に説明され、その内容はその全体が参考のためにここに明確に組み込まれている（ここでは“ＩＳ−７０７”として参照される）。
【０００４】
ＩＳ−７０７によれば、移動端末装置１２、通信装置１４、基地局／移動スイッチングセンター１６及び相互作用機能１８はそれぞれＴＥ２装置、ＭＴ２装置、ＢＳ／ＭＳＣ及びＩＷＦとして参照される。移動端末装置１２及び無線通信装置１４の間のインタフェースは、Ｒｍインタフェースと称される。無線通信装置１４と基地局／移動スイッチングセンター１６との間のインタフェースはＵｍインタフェースとして参照される。基地局／移動スイッチングセンター１６及び相互作用機能１８の間のインタフェースはＬインタフェースとして参照される。
【０００５】
移動端末装置１２は、例えば、ノートブックコンピュータ、パーソナルデジタルアシスタント、あるいはパケット通信あるいはダイアルアップモデムを介した通信を含む他のあらゆるコンピュータネットワーク通信可能なコンピュータ装置から構成される。無線通信装置１４は、例えば、放送リンクでネットワークサービスにアクセスする加入者により用いられる無線端末からなる。無線端末は、携帯セルラ電話あるいは自動車に備えられたユニットからなる。無線通信装置１４は特定の位置に固定化されてもよい。
【０００６】
基地局／移動スイッチングセンター１６は図１に単一の機能エンティティとして示されているが、そうである必要は無い。図示された基地局／移動スイッチングセンターの基地局部分は、無線通信装置１４がラジオリンクあるいは他の型式の無線リンクを用いたネットワークサービスに接続するのを可能にする。移動スイッチングセンター部分は、無線リンクと無線リンクが接続された遠距離通信ネットワークとの間のトラフィックの切替を行う。遠距離通信ネットワークは公衆切替電話ネットワーク（ＰＳＴＮ）、統合サービスデジタルネットワーク（ＩＳＤＮ）、インターネットルータ及び他のネットワーク型式及びエンティティのうちの１つあるいはその組合せから構成される。
【０００７】
相互作用機能１８は、一端において移動端末装置１２及び／又は無線通信装置１４と、他端においてインターネットとの間におけるゲートウェイあるいはブリッジ接続が形成される位置を示す。
【０００８】
図２は、ＩＳ−７０７への適合を含み、多数の移動コンピュータ環境により適合されるプロトコルスタックの単純化した図である。このスタックは、１あるいはそれ以上の下層２８、データリンク層２６、ネットワーク層２４、及び１あるいはそれ以上の上層２２からなる。１あるいはそれ以上の下層２８が提供される。これら下層は、数ある中で、物理リンクを確立する接続を有し、またＩＳ−７０７で開示されるリレー層、ページングチャネル３０及びトラフィックチャネル３２を有する。
【０００９】
データリンク層２６は下層２８のすぐ上である。データリンク層２６はＰＰＰ及び／又はＳＬＩＰのようなプロトコルを用いてもよい。この層は、２つのコンピュータの間の地点間通信を取り扱う。これは、取扱データをまとめ、通信のフローを管理する。ＰＰＰは、例えばＲＦＣ１６６１“地点間プロトコル”（１９９４年７月）で説明され、その内容はその全体が参考のためにここに明確に組み込まれる。ＰＰＰは、ダイアルアップでの異なる製造者からのデータ通信機器と専用シリアル地点間リンクとの間のデータグラムの送信を容易にする。ＰＰＰは、各プロトコルで別個独立のリンクを立ち上げる必要なく、単一のシリアルリンクにより複数のプロトコルを同時に送信可能である。ＰＰＰはまた、ホストブリッジとルータのように、シリアルリンクで非類似の装置の相互接続を可能とする。ＰＰＰプロトコルは、カプセル化手法、リンク制御プロトコル、ネットワーク制御プログラムを含む３つの主要要素からなる。これら要素は、それぞれフレームの生成、リンクの制御及びネットワーク層プロトコルの管理能力を有する。
【００１０】
ネットワーク層２４はデータリンク層２６のすぐ上であり、ＩＰのようなプロトコルや非接続ネットワークプロトコル（ＣＬＮＰ）から構成され得る。ネットワーク層は情報を目的地に確実に到達させることを保証する。すなわち、あるネットワークのエンティティから他への情報の実際の移動に関連する。インターネットプロトコル（ＩＰ）はデータメッセージをパケットに分離し、そのパケットを送り主から目的のネットワークのエンティティにルーティングし、パケットを目的地でもとのデータメッセージに再統合する。ＩＰプロトコルは、それぞれ転送されるパケットのソース及び目的地として動作するホストコンピュータを独自に識別するソース及び目的地アドレスフィールドを含むＩＰヘッダを有する。
【００１１】
上層部分２２は、ネットワーク層２４の上の１あるいはそれ以上のプロトコル層からなり、例えば、入力データストリームの安定した順序通りの配送を容易にする。
【００１２】
様々なプロトコル技術が、ＲＤＣ２００２におけるＩＰ移動性サポート“ＩＰ移動性サポート”（１９９６年１０月）（ここでは“ＲＦＣ２００２”として参照される）を達成するために記されており、その内容は参考のためにその全体がここに明確に組み込まれる。ＲＦＣ２００２に説明されている通り、ＩＰ移動性サポートは、そのＩＰアドレスを変えることなく、そのリンク層のインターネットの接続ポイントを変えた後に、移動ノードが他のノードと通信するのを可能にする。移動ノードは理想的にはこれら移動性の機能を実装しない他のノードと通信可能であり、ＩＰの移動性をサポートする所定の移動ノードへ／からのパケットのルーティングがなされるホスト、ルータあるいはブリッジのプロトコルを強化する必要は無い。
【００１３】
“エージェント発見”は、ホースネットワークあるいは外部ネットワークを介してインターネットに現在接続されているか、及び外部ネットワークを通じていつ接続されたかを移動ノードが判定し、移動ノードがある外部ネットワークから他へ移動した時を検出する、ＲＦＣ２００２により開示された手法である。エージェント発見は、移動ノード、外部エージェント及びホームエージェントにより送受され得るエージェント広告及びエージェント勧誘の双方を含む。“移動性エージェント”と称されるネットワークのエンティティは、移動ノードにより受信され、所定の外部ネットワークが変化する時を示すエージェント広告を送る。これらエージェント広告は、図１に示されるネットワークモデルでは移動端末装置１２からなる移動ノードにトラフィックチャネル３２で送られる。しかしながら、トラフィックチャネル３２が不確立であるにもかかわらず、移動ノード（すなわち移動端末装置１２）及び接続ポイント（すなわち相互作用機能１８）との間でリンクが維持されるのが望ましい環境がある。例えば、移動端末装置１２及び相互作用機能１８との間に拡張するＰＰＰリンク（データリンク層２６内）及びＩＰリンク（ネットワーク層２４内）が維持される間、トラフィックチャネルが不確立であるパケットデータサービスの休止モードをＩＳ７０７．５の組は示す。このような環境で、第１の地理的領域から第２の地理的領域へのその位置が変化したとき、移動端末装置１２はそれを変更するエージェント広告を受信せず、リンクは新規／第２の相互作用機能に切り替えられることを要求する。
【００１４】
移動端末装置１２に、折良く相互作用機能１８の変更が知らせられる機構の必要があり、これは第１の地理的領域から第２の地理的領域へ移動する無線通信装置１４の結果として生じる。
【００１５】
３．用語及び頭字語の定義
以下の用語及び頭字語の定義は、読者がここで説明される発明の理解を得るのを助けるために提供される。
【００１６】
フロー制御：送信の実体により送られるデータの量あるいはレートを制限する受信のエンティティにより実行される動作
相互作用機能（ＩＷＦ）：所定のネットワーク（例えばパケットネットワーク）及び基地局及び／又は移動スイッチングセンターによりネットワークに接続された移動装置との間で形成されたゲートウェイあるいはブリッジ接続におけるポイント。
【００１７】
本発明の要約
上述した観点より、１あるいはそれ以上の様々な観点及び／又は実施形態を通じて、本発明は１あるいはそれ以上の目的及び利点をもたらす。あるこのような目的は、移動端末装置が、それが接続されるパケットネットワークへの接続ポイントの変化に気付くようにすることを可能にする機構及びプロトコルを提供することである。さらなる本発明の目的は、移動端末装置がそのＩＰアドレスの登録を更新し、ＩＰの移動性の利益を楽しみ続けられるように、接続ポイントの変化を移動端末装置に知らせることができる機構を提供することにある。
【００１８】
従って、本発明は、無線通信装置が移動するときに、移動パケットネットワークコールが確立される通信リンクを更新する機構を有するシステムあるいは方法に向けられ、所定の相互作用機能における変化が要求される。通信は移動端末装置及び所定の相互作用機能との間に拡張し、移動端末装置を無線通信装置に第１のインタフェースで接続する。通信はさらに、無線通信装置を所定の相互作用機能に第２のインタフェースで、基地局に対する無線リンクを介して接続する。無線通信装置が第１の地理的領域から第２の地理的領域へ移動するとき、所定の相互作用機能は、第１の地理的領域に関連づけられた第１の相互作用機能から、第２の地理的領域に関連づけられた第２の相互作用機能に変化する。数ある要素の中で、通信リンクはトラフィックチャネル、データリンク層リンク及びネットワーク層リンクからなる。通信リンクは、データリンク層リンク及びネットワーク層リンクが維持されている間に、トラフィックチャネルが確立されたパケットモードとトラフィックチャネルが不確立の休止モードからなる。ネットワーク領域識別子情報は、通信リンクが休止モード（及びまた、トラフィックチャネルが確立されたとき）のとき、無線通信装置に提供される。無線通信装置は、ネットワーク領域識別子情報に対応する変化があるときを判定することにより、所定の相互作用機能が第１の相互作用機能から第２の相互作用機能に変化した時を判定する。
【００１９】
無線通信装置は、ネットワーク領域識別子情報における変化が判定されたときに、移動端末装置とともにリンク制御プロトコル交渉を開始する。移動端末装置は、リンク制御プロトコルパケットを第２の相互作用機能に無線通信装置を介して送ることにより、リンク制御プロトコル交渉の開始に応答する。通信リンクはパケットモードに入り、トラフィックチャネルを停止させる。そして、データリンク層リンクは第２の相互作用機能とともに確立される。第２の相互作用機能とともにデータリンク層リンクが確立された後、移動端末装置及び第２の相互作用機能はネットワーク制御プロトコルの選択を交渉し、その間でネットワーク層リンクを確立する。適時、移動端末装置は移動ＩＰ登録を更新する。
【００２０】
代表的な実施形態の詳細な説明
本発明は、ＩＰの移動性をサポートするのを容易にする移動コンピュータ通信サブシステム、あるいは１あるいはそれ以上の部分に向けられる。図１に示す通信サブシステム１０は移動端末装置１２及び相互作用機能１８との間に拡張する通信リンクを形成する。移動パケットネットワークコールはその通信リンクで確立される。通信リンクは移動端末装置１２を無線通信装置１４と第１のインタフェース（Ｒｍ）で接続し、さらに無線通信装置１４を相互作用機能１８と第２のインタフェース（Ｕｍ及びＬ）で、基地局／移動スイッチングセンター１６に対する通信リンクを介して接続する。
【００２１】
相互作用機能１８は新規の相互作用機能に変えてもよい。例えば、ユーザが移動し、彼あるいは彼女の移動端末装置（例えばラップトップのコンピュータ）及び無線通信装置１４（典型的にはセルラ移動電話）を運び、そのユーザ及び機器がある地理的領域から他の領域に移動し、これにより移動機器がインターネットに接続されるポイントを変更する必要が生じる場合に、このようなことが生じてもよい。すなわち、相互作用機能１８は変化される必要があるであろう。より具体的には、無線通信装置１４に第１の地理的領域から第２の地理的領域に移動させるように位置を変えさせるためにユーザが位置を変える場合、所定の相互作用機能１８は第１の地理的領域に関連づけられた第１の相互作用機能から第２の地理的領域に関連づけられた第２の相互作用機能に変えられるであろう。
【００２２】
相互作用機能１８は外部エージェントとして機能してもよく、これによりＩＰの移動性が容易となる。外部エージェントは、移動ノードにより訪問されるネットワーク上のルータにより構成され、これは、この場合、移動端末装置１２から構成される。移動ノードを示す静的なＩＰアドレスは、例えばＲＦＣ２００２として示される移動ＩＰ登録処理の一部として登録される。すなわち、移動ノードがある外部ネットワークから他に移動するとき、訪問する新規の外部ネットワークに対応する新規の相互作用機能が与えられる。従って、適切な場合あるいは必要な場合に、その移動ＩＰ登録を更新することができるように、移動端末装置１２は訪問する外部ネットワークにおけるそのような変化を気付かれる必要がある。この点で、相互作用機能１８における変化が移動端末装置１２により訪問される新規の外部エージェントがあることを示す場合、そのＩＰ登録は更新される。同一の外部エージェントが用いられる場合、移動ＩＰ登録の更新を行う必要は無い。
【００２３】
ＦＩＧ．２に戻り参照すると、下層２８はページングチャネル３０及びトラフィックチャネル３２から構成され得る。ページングチャネル３０は、ページングメッセージと同様に様々なネットワークエンティティにより送られる一般的なオーバーヘッドメッセージを運んでもよい。ページングチャネル３０で送られる情報は、ＳＩＤ／ＮＩＤの対（ＩＳ−９５Ａとして示される）あるいはパケット区域ＩＤ（ＩＳ−９５Ｂとして示される）のようなネットワーク領域識別子情報から構成され得る。図示した実施形態がページングチャネル３０を用いる一方で、ＣＤＭＡ２０００で用いられるＢＣＣＨのような他の共通するチャネルが同様に用いられ得る。トラフィックチャネル３２はペイロードデータ情報を通信リンクで運ぶ。
【００２４】
例えば図２に示すように、通信リンクはトラフィックチャネル３２、ネットワーク層２６内で提供されるデータリンク層リンク及びネットワーク層２４内で提供されるネットワーク層リンクからなる。図示した実施形態では、データリンク層リンクはＰＰＰリンクからなり、ネットワーク層リンクはＩＰリンクからなる。通信リンクはパケットモード及び休止モードを有するように構成される。パケットモードでは、トラフィックチャネル３２が確立されて、ペイロードデータがトラフィックチャネル３２を介して流れることが可能になる。通信リンクが休止モードの間、トラフィックチャネル３２は不確立である一方で、データリンク層リンク（ＰＰＰリンク）及びネットワーク層リンク（ＩＰリンク）は維持される。例として、通信リンクはＩＳ−７０７に開示されるように構成されてもよい。図示した実施形態はＣＤＭＡの実装に向けられ、ＩＳ−７０７規格に適合している。しかしながら、図示した実施形態は本発明をＣＤＭＡ及びＩＳ−７０７及びＩＳ−９５ＡあるいはＢのようなここで特に述べられる他の規格に限定することを意味するものではない。むしろ、他の技術及び規格が用いられ得る。例えば、ＣＤＭＡセルラ技術の利用の代わりに、ＴＤＭＡ、ＧＳＭ、Ｗ−ＣＤＭＡあるいはＣＤＭＡ２０００ネットワークのような他のセルラ通信規格が用いられてもよい。
【００２５】
図３は通信サブシステム１０の一部を構成するあるネットワーク要素及びこれらの間の遷移の状態を示す状態図である。通信サブシステム１０が自動検出モード３０２のとき、無線通信装置１４及び少なくとも基地局／移動スイッチングセンター１６との間に拡張する通信リンクが確立される。このモードは、ＩＳ−７０７．５で開示される休止／トラフィック状態に対応し、その中で移動局はトラフィックチャネル上のＢＳ／ＭＳＣと通信するが、パケットデータを移動局が転送できないようにするため、パケットデータサービスの選択は切断される。通信サブシステム１０は自動検出モード３０２からパケットモード３０４に入ることができ、そこで移動局はパケットコール中である。この状態は、ＩＳ−７０７．５で開示された接続状態に対応する。この状態では、パケットデータサービスの選択は接続され、移動局はパケットデータを転送することができる。移動通信サブシステム１０はパケットモード３０４からパケット休止モード３０６に移動し得る。パケット休止モード３０６はＩＳ−７０７．５で開示される休止／アイドル状態に対応し、その中で移動局はトラフィックチャネル上ではなく、すなわちトラフィックチャネルは不確立で、移動局はパケットデータを転送できない。しかしながら、ＰＰＰ及びＩＰリンクは維持される。移動端末装置１２により送られたＰＰＰパケットが無線通信装置１４により検出されるとき、移動通信サブシステム１０は自動検出モード３０２からパケットモード３０４に移動する。例えば、無線通信装置１４内に提供された休止タイマーが終了した時（ＣＤＭＡ２０００では、このようなタイマーはＢＳＣ／ＭＳＣで維持され、その移動は休止モードに進む時を信号メッセージにより伝えられる）、移動通信サブシステム１０はパケットモード３０４からパケット休止モード３０６に移動してもよい。無線通信装置１４がパケット休止モード３０６のとき、及び無線通信装置１４は所定の相互作用機能１８が第１の相互作用機能から第２の相互作用機能に変わったのを判定したとき、無線通信装置１４はパケット休止モード３０６から移動性検出状態３０８での変化に変わり、その時間に無線通信装置１４は移動端末装置１２に変化を通知する段階をとる。このとき、無線通信装置１４は移動端末装置１２に相互作用機能１８の変化を知らせる。移動端末装置１２はその点で通信リンクにパケットモード３０４に入らせ、トラフィックチャネルを停止させ、さらに新規の相互作用機能１８とデータリンク層リンク（ＰＰＰ）リンクの再確立を開始するために、移動端末装置１２が相互作用機能の変化の通信に応答した場合、移動通信サブシステム１０はパケットモード３０４に再度入る。移動端末装置１２が無線通信装置１４から受信した変化の通信を受信しない場合、移動性検出状態３０８からパケット休止モード３０６へ変化する状態が遷移する。
【００２６】
図４は通信リンクがパケット休止モードの時の無線通信装置１４により実行される処理のフローチャートである。この処理は、動作４０２で開始し、ここで所定の相互作用機能１８が第１の相互作用機能から第２の相互作用機能に変わる表示を待つ。第１及び第２の相互作用機能は、同一あるいは重なりのある地理的領域を有してもよいし、それらは異なる地理的領域、すなわち第１の地理的領域と第２の地理的領域にそれぞれ関連づけられてもよい。より具体的には、無線通信装置１４は、通信リンクが休止モードの時に通信リンクで提供されるネットワーク領域識別子情報の対応する変化がある時を判定することにより、所定の相互作用機能１８はある相互作用機能から新規の相互作用機能へ変化した時を判定する。ネットワーク領域識別子情報は、通信リンクに影響を与えるのに用いられるプロトコルスタックの下層内のページングチャネル３０で通信される情報から構成され得る。より具体的には、ネットワーク領域識別子は、例えば、パケット区域ＩＤ（ＩＳ−９５Ｂに従った）あるいはＳＩＤ／ＮＩＤの組（ＩＳ−９５Ａに従った）からなる。無線通信装置１４が、相互作用機能が無線通信装置１４の新たな地理的領域の再配置により変化する表示を受け取る時、その処理は動作４０４を実行し、その時に無線通信装置１４は、無線通信装置１４が移動性の通知をサポートするように構成されているかについての判定を行う。
【００２７】
移動性の通知が可能な場合、処理は動作４０６を進め、その時に相互作用機能１８を新規の相互作用機能に変化させるため、無線通信装置１４は移動端末装置１２に無線通信装置１４の再配置を知らせる。特に、動作４０６はリンク制御プロトコル（ＬＣＰ）構成要求を移動端末装置１２に送る動作からなる。移動端末装置１２は無線通信装置１４から直接にＬＣＰパケットを受信することは期待されておらず、従ってそのＬＣＰ構成要求の受信を相互作用機能から直接送られたものとして解釈する。この通信により、移動端末装置１２は移動端末装置１２と新規の相互作用機能１８との間のＰＰＰリンクのインスタンスを再度同期させる。移動端末装置１２は、そのＬＣＰパケットを相互作用機能１８に送ることによりこれを開始し、これによりトラフィックチャネルは停止し、無線通信装置１４はパケットモード３０４（図３）に再度戻される。
【００２８】
ＬＣＰ構成要求を移動端末装置１２（及びそこから生じるＰＰＰ再同期）に送る動作の後、その処理は動作４０２に戻り、そこで、もし通信リンクが未だパケット休止モード３０６の場合、相互作用機能の変化の表示を待つ。移動端末装置１２及び新規の相互作用機能１８との間のＰＰＰリンクの再確立により、一端で無線通信装置１４と移動端末装置１２との間の通信を容易にし、他端でインターネットワーキングを容易にするため、新規の相互作用機能１８がＭＩＮ（移動識別番号）−ＩＰアドレスマッピングを維持するのを可能にする。従って、インターネットワーキングからのいかなる境界内のパケットでも、移動端末装置１２に向けることができる。
【００２９】
図５は無線通信装置５００の単純化したブロック図であり、この無線通信装置５００は特に示されない他の要素の中で、移動性通知可能機構５０２、情報抽出機構５０４、相互作用機能識別判定機構５０６及びＬＣＰコンフィギュレーション要求機構５０８からなる。移動性通知可能機構５０２は、無線通信装置５００が、移動性の通知が可能あるいは不可能のいずれにもされるように構成されるのを可能とする機構からなる。それが可能にされるかを判定するため、移動性通知可能機構５０２は例えば図４に示される動作４０４で調べられ得る。例として、移動性通知可能機構５０２はメモリにおける位置、例えばプログラマブル読み出しのみメモリからなり、ここで移動性通知が可能あるいは不能のいずれかを示す格納データが提供される。
【００３０】
情報抽出機構５０４はネットワーク領域識別子情報を含む通信リンクで通信される情報を抽出する機構からなる。図示した実施形態では、ネットワーク領域識別子は、図２に示すように、プロトコルスタック２０の下層におけるページングチャネル３０で送信される。相互作用機能に変化があったかを判定するのに情報が用いられ、その判定が、相互作用機能識別子判定機構５０６により実行されるように、情報抽出機構５０４は、ページングチャネル３０からネットワーク領域識別子情報を抽出する。ＬＣＰ構成要求機構５０８は、ＬＣＰ構成要求の移動端末装置１２への送信を生じさせる。
【００３１】
図５における機能ブロックの説明は、当該技術で知られた、異なる様々な方式で実装され得る。例えば、図示した機構はハードウェアの型式（例えばアプリケーション特定集積回路）、ソフトウェア（ＲＡＭ格納コンピュータプログラム、ＲＯＭ格納プログラム、すなわち、ファームウェア、あるいはソフトウェア及びファームウェアのハイブリッド結合を含む）、あるいはハードウェア及びソフトウェアのハイブリッドな結合の型式で実装され得る。
【００３２】
一旦通信リンクがパケットモード３０４に入ると、図４における動作４０６の実行の結果として、相互作用機能１８における変化があるとの判定の後、移動端末装置１２と相互作用機能１８との間で、新規の相互作用機能１８が新規の外部エージェントからなるかについての判定の間に、インターネットプロトコル制御プロトコル（ＩＰＣＰ）交渉が実行される。新規の相互作用機能１８が新規の外部エージェントからなる場合、移動端末装置１２は、例えば、ＲＦＣ２００２で開示される既知の手法を用いて、その移動ＩＰ登録を更新する。
【００３３】
本発明はいくつかの図示された実施形態を参照して説明され、そこで用いられる用語は、限定のための用語というよりもむしろ説明のための用語であることが理解される。本発明の範囲及び精神から外れることなく、添付の請求項の範囲内で変更可能である。本発明は、ここで、特定のデータ、構造及び実施形態を参照して説明されたが、本発明はその特定の開示されたものに限定されるものではなく、すべての適切な均等な構造、手法及び利用に拡張される。
【００３４】
本発明は、本発明の実施形態の例を限定することなく複数の図面を参照することにより詳細な説明でさらに説明され、その中での参照符号は図面中を通じて移動いつの部分を示すものである。
【図面の簡単な説明】
【図１】  移動コンピュータ通信サブシステムのブロック図。
【図２】  プロトコルスタック構造の単純化された図。
【図３】  移動コンピュータ通信サブシステムの様々な状態を示す状態図。
【図４】  図示の実施形態に従った移動通信装置で実行される処理ステップの組を示すフローチャート。
【図５】  図示の実施形態における無線通信装置の単純化されたブロック図。
【図１】
0004584521.tif 000002
【図２】
0004584521.tif 000003
【図３】
0004584521.tif 000004
【図４】
0004584521.tif 000005
【図５】
0004584521.tif 000006